(57)【要約】　　　（修正有）【課題】鋏を髪に入れて動かす回数が少なくても髪を十分に梳くことが出来、かつ、その梳具合が、恰も、カット直後と言ったイメージのものでは無く、数日経過してからのようなバラツキが適度なものであり、更には動作性にも優れた鋏を提供することである。【解決手段】棒刃と櫛部を有する櫛刃とを具備する鋏において、前記櫛刃の長手方向における櫛部の両側部分１ａ，１ｂは端側ほど櫛長が短いように形成（例えば、櫛部と櫛部との間のスリットを中心にして恰もＵ形状或いはＶ形状の切欠があるよう櫛部先端が形成）されてなり、該櫛部の両側における中央櫛長より短く形成されている部分１ａ，１ｂに刃が形成されてなる。【選択図】　図２
2004041268.tif 000002
【特許請求の範囲】
【請求項１】
棒刃と櫛部を有する櫛刃とを具備する鋏において、
前記櫛刃の長手方向における櫛部の両側に刃が形成されてなる
ことを特徴とする鋏。
【請求項２】
櫛刃の長手方向における櫛部の両側部分は端側ほど櫛長が短いように形成されてなり、該櫛部の両側において中央櫛長より短く形成されている部分に刃が形成されてなることを特徴とする請求項１の鋏。
【請求項３】
隣接する櫛部と併せてみた場合にＵ形状の切欠があるよう櫛部先端が形成されてなり、前記Ｕ形状切欠の部分に刃が形成されてなることを特徴とする請求項１または請求項２の鋏。
【請求項４】
隣接する櫛部と併せてみた場合にＶ形状の切欠があるよう櫛部先端が形成されてなり、前記Ｖ形状切欠の部分に刃が形成されてなることを特徴とする請求項１または請求項２の鋏。
【請求項５】
櫛部中央先端は平坦に形成されていることを特徴とする請求項１〜請求項４いずれかの鋏。
【請求項６】
櫛部は、その基端部における幅が中部における幅より短いよう幅狭部を有することを特徴とする請求項１〜請求項５いずれかの鋏。
【発明の詳細な説明】
【０００１】
【発明の属する技術分野】
本発明は、特に髪を梳く時に用いる鋏に関する。
【０００２】
【発明が解決しようとする課題】
髪を梳く時に用いる鋏として、図１２に示される鋏Ｘが知られている。尚、図１２中、Ａは棒刃、Ｂは櫛刃、１１は櫛部である。
【０００３】
ところで、この図１２タイプの鋏Ｘでは、髪を梳く場合、抵抗が大きく、動作性が悪く、この為にテクニックを要し、腕の良い理容師・美容師でなければ上手く梳けない。更には、梳具合が、ワンパターン（梳いた・梳かない・梳いた・梳かない・……）であり、今日、カットして来ましたと言う感覚が強く出たものとなってしまう。
【０００４】
そこで、図１３に示すような鋏Ｙが提案されるに至った。図１３中、Ａは棒刃、Ｂは櫛刃、２１は櫛部であり、櫛部２１の図１３中左側（鋏の前方（先端）側）の部分を切り欠いて切欠部２２を設けたものである。
【０００５】
すなわち、図１３に示すような形状にした鋏Ｙを用いた場合、梳具合が鋏Ｘを用いた場合よりも、複雑になり、今日、カットして来ましたと言うイメージが弱まる筈であった。
【０００６】
ところが、実は、梳具合がそれ程複雑なものでは無く、改善度は満足できるものでは無かった。
【０００７】
かつ、髪を所望の量だけ梳こうとした場合、鋏Ｘを用いるよりも鋏Ｙを用いた場合、鋏を髪に入れて梳く回数を多くしなければならなかった。すなわち、鋏Ｘに比べて、鋏Ｙは、１回に梳ける量が少なく、髪に鋏を入れて動かす回数が何倍にもなって、始めて、目的とした梳量のものに到達する次第であった。この鋏を髪に入れて動かす回数が増えると言うことは、美容師・理容師の労働がきつくなることを意味し、好ましいものでは無い。
【０００８】
更には、出来あがり具合が美容師・理容師の技術に大きく左右され、梳鋏としての性能に満足できるものではなかった。
【０００９】
従って、本発明が解決しようとする課題は、上記課題を解決することである。特に、鋏を髪に入れて動かす回数が少なくても髪を十分に梳くことが出来、かつ、その梳具合が、恰も、カット直後と言ったイメージのものでは無く、数日経過してからのようなバラツキが適度なものであり、更には動作性にも優れた鋏を提供することである。
【００１０】
【課題を解決するための手段】
前記の課題、特に、Ｙタイプの鋏の問題点に対する検討を押し進めて行った結果、鋏Ｙを何回も繰り返して髪に入れて動かした場合に、始めて、目的量の梳量となるのは、切欠部２２の部分にある髪は棒刃で押されてスリット２３部分に押し遣られるようになり、髪が切欠部２２の部分にあっても、その大部分が実はカットされないものとなってしまうことに気付いた。そして、鋏を何回も繰り返して髪に入れて動かしていると、梳具合が、実は、平均化されてしまい、バラツキが出来ず、カット直後において数日経過したかのようなイメージにはなっていないことも判って来た。
【００１１】
そこで、本願発明者は、鋏Ｙでは、櫛部２１の左側の部分を切り欠いたものとしていたのであるが、櫛部２１の右側の部分を切り欠いたタイプのものを試作した。
【００１２】
しかし、このタイプの鋏は、１回の梳量は十分あるものの、カットする時の抵抗感が大きく、動作性に劣るものであった。又、カット後のイメージも、鋏Ｘタイプのものと殆ど変わらなかった。すなわち、梳具合がワンパターン（梳いた・梳かない・梳いた・梳かない・……）なものであった。
【００１３】
このような知見を基にして本発明が達成されたものである。
【００１４】
すなわち、前記の課題は、棒刃と櫛部を有する櫛刃とを具備する鋏において、
前記櫛刃の長手方向における櫛部の両側に刃が形成されてなる
ことを特徴とする鋏によって解決される。
【００１５】
特に、棒刃と櫛部を有する櫛刃とを具備する鋏において、
前記櫛刃の長手方向における櫛部の両側部分は端側ほど櫛長が短いように形成されてなり、該櫛部の両側における中央櫛長より短く形成されている部分に刃が形成されてなる
ことを特徴とする鋏によって解決される。
【００１６】
上記櫛刃の形態として、隣接する櫛部と併せてみた場合にＵ形状の切欠があるよう櫛部先端が形成されてなり、前記Ｕ形状切欠の部分に刃が形成されていたり、又は、隣接する櫛部と併せてみた場合にＶ形状の切欠があるよう櫛部先端が形成されてなり、前記Ｖ形状切欠の部分に刃が形成されているものが挙げられる。
【００１７】
上記のように櫛刃を構成していると、櫛部の手前側の部分では、髪をカットする時、髪を押し遣るとしてもカットする側であり、何れにしても、この部分ではカット、つまり完全に梳かれてしまう。櫛部の手向側の部分では、髪をカットする時、髪を押し遣るようになり、そして櫛部間のスリット部分に一部は押し遣られてしまうので、一部がカット、一部は未カットになり、一部しか梳かれ無いことになる。そして、櫛部間のスリット部分ではカットされない。
【００１８】
このように、梳具合は、梳いた・少し梳いた・梳かない・梳いた・少し梳いた・梳かない・……と言ったように複雑なものになることから、梳具合にバラツキが有り、カット直後においても数日経過した後のようなイメージのものになる。
【００１９】
更には、１回に梳ける量も十分にある。すなわち、鋏Ｙを用いた場合のように、何回も繰り返して鋏を髪に入れ、動かすと言った面倒臭さから開放される。
【００２０】
そして、櫛部の手向側の部分では、髪をカットする時、髪を押し遣るようになり、カット量が少ないことから、抵抗感が小さく、鋏はスムーズに動作する。そして、櫛部の手前側の部分で髪をカットする場合、この位置にある髪は完全にカットされるから、抵抗感は有るものの、その前にある抵抗感の小さな動作性にスムーズな時が有ることから、結局、全体として大きな抵抗感は無く、鋏の動作性は良好となる。
【００２１】
上記した通り、櫛刃における櫛部の両側を欠き、この部分に刃を設けておくのが本発明の特徴である。櫛部先端の中央部については格別な形状にすることを必須とするものでは無いが、特に好ましいのは櫛部中央先端が平坦に形成されている場合である。
【００２２】
又、櫛部は、その基端部における幅が中部における幅より短いよう幅狭部を有するのが好ましい。これは、櫛部の手向側の部分では、髪をカットする時、髪を押し遣り、櫛部間のスリット部分に一部の髪を押し遣るので、櫛部間にある髪の量は増加する。従って、それだけ多くなった髪を無理なく受け入れられる領域を形成しておかねば、鋏を髪から抜く時の動作がスムーズにならない。すなわち、櫛部間にある髪の量が途中で増えるようなことがなければ、櫛部の幅はほぼ一定であっても問題は無いものの、本発明の如く、櫛刃の構造上、櫛部間にある髪の量が途中で増える場合には、増えた量を無理なく受け入れることが出来るように大きな隙間を櫛部の基部側に形成しておくことは好ましいことである。
【００２３】
【発明の実施の形態】
図１〜図４は本発明になる鋏の第１実施形態を示すもので、図１は全体の平面図、図２は要部（櫛刃の一部）の拡大平面図、図３は要部（櫛刃の一部）の拡大底面図、図４は図２中Ｉ−Ｉ線断面図である。
【００２４】
同図中、Ａは棒刃、Ｂは櫛刃、１は櫛部、２は櫛部１間のスリットである。
【００２５】
本発明の特徴は、この櫛部１の形状にある。すなわち、櫛刃Ｂの長手方向（図１，２中、左右方向）において、櫛部１の両方の側部分１ａ，１ｂに刃が形成されている。更に詳しく説明すると、櫛刃Ｂの長手方向における櫛部１の両方の側部分１ａ，１ｂにおける櫛長Ｌａ，Ｌｂは中央部分１ｃにおける櫛長Ｌｃより短く、かつ、端側ほど櫛長が短いように形成されており、両方の側部分１ａ，１ｂに刃が形成されている。言い換えると、隣接する二つの櫛部１，１を併せて眺めた場合、櫛部１と櫛部１との間のスリット２を中心にして恰もＵ形状の切欠があるよう櫛部先端が形成されており、このＵ形状切欠の部分に刃が形成されている。尚、中央部分１ｃにも刃が形成されていても良いが、本実施形態では中央部分１ｃには刃は形成されていない。
【００２６】
櫛部１の先端は上記のような形状であるが、基端側はその幅が中側より狭いように形成されている。すなわち、櫛部１と櫛部１との間のスリット２は、その中側の幅Ｓａより基端側の幅Ｓｂの方が広いように櫛部１は形成されている。例えば、基端側におけるスリット２の形状は楕円形状で、かつ、中側のスリット２は前記楕円の短軸長より短い寸法の矩形状であるように形成されている。尚、このスリット２の基端側は、図２〜４からも判る通り、丸味を帯びさせている。
【００２７】
上記のように構成させた鋏Ｚを用いて髪を梳いた場合、櫛部１の手前側の部分（櫛刃Ｂの長手方向において、櫛部１の中央部分１ｃより右側の部分。鋏に指を入れた場合、指に近い側。）１ａでは、髪をカットする時、髪を押し遣るとしてもカットする側であり、何れにしても、この部分ではカット、つまり完全に梳かれてしまう。これに対して、櫛部の手向側の部分（櫛刃Ｂの長手方向において、櫛部１の中央部分１ｃより左側の部分。鋏に指を入れた場合、指から遠い側。）１ｂでは、髪をカットする時、髪を押し遣るようになり、そして櫛部間のスリット２に一部は押し遣られてしまうので、一部がカット、一部は未カットになり、一部しか梳かれ無いことになる。中央部分１ｃでは棒刃Ａによってカットされる。そして、櫛部１，１間のスリット２ではカットされない。
【００２８】
このように、上記の鋏Ｚを用いた場合、その梳具合は、梳いた・少し梳いた・梳かない・梳いた・少し梳いた・梳かない・……と言ったように複雑なものになることから、梳具合にバラツキが有り、カット直後においても数日経過した後のようなイメージのものになる。
【００２９】
更には、１回に梳ける量も十分にある。すなわち、１ａ，１ｃの部分では完全にカットでき、かつ、１ｂの部分でも多少はカットされるから、鋏Ｙを用いた場合のように、何回も繰り返して鋏を髪に入れて、動かすと言った煩瑣な動作は無くなる。
【００３０】
そして、１ａ，１ｃの部分ではカットされることから、その際の抵抗が有るものの、１ｂの部分では髪をスリット２側に押し遣るようになるので、その分だけ抵抗感が小さくなり、鋏の動作性に優れている。
【００３１】
又、スリット２は、中側の幅Ｓａより基端側の幅Ｓｂの方が広いように形成されている。このことは、入って来る髪が徐々に多くなっても、この幅広部（Ｓｂの部分）に髪は余裕を持って保持されることを意味する。従って、１ｂの部分によって髪が徐々にスリット２側に押し遣られて来ても、これを余裕を持って受け入れることが出来る。この為、鋏Ｚを髪から抜く時の動作がスムーズになる。
【００３２】
図５〜図１１は、本発明に係る鋏の第２〜８実施形態を示すもので、第１実施形態で示した図２に対応する要部（櫛刃の一部）の拡大平面図である。
【００３３】
これらの実施形態の鋏も基本的な構造は第１実施形態のものと同じであり、その形状が相違するに過ぎないので、詳細な説明は省略される。尚、同一部分には同一符号を付す。
【００３４】
図５の鋏は、スリット２の部分が斜めになっているのみであり、その他の構成は第１実施形態のものと同様である。
【００３５】
図６の鋏は、１ａ部分と１ｂ部分とにおける刃の形成具合が相違（１ａ部分の方が刃が少ない）しているのみであり、その他の構成は第１実施形態のものと同様である。
【００３６】
図７の鋏は、隣接する二つの櫛部１，１を併せて眺めた場合、上記第１実施形態の鋏は、櫛部１と櫛部１との間のスリット２を中心にして恰もＵ形状の切欠があるよう櫛部１先端が形成されていたのであるが、本実施形態のものはＶ形状の切欠が形成されているのみであり、その他の構成は第１実施形態のものと同様である。
【００３７】
図８の鋏は、基本的には、図７の鋏と同様である。但し、１ａ部分と１ｂ部分とにおける刃の形成具合が相違（１ａ部分の方が刃が少ない）している。
【００３８】
図９の鋏は、第１実施形態の鋏において、スリット２の幅がほぼ一定である点が相違するのみである。
【００３９】
図１０の鋏は、第２実施形態の鋏において、スリット２の幅がほぼ一定である点が相違するのみである。
【００４０】
図１１の鋏は、第４実施形態（図７）の鋏において、スリット２の幅がほぼ一定である点が相違するのみである。
【００４１】
【発明の効果】
鋏を髪に入れて動かす回数が少なくても髪を十分に梳くことが出来、かつ、その梳具合が、恰も、カット直後と言ったイメージのものでは無く、数日経過してからのようなバラツキが適度なものであり、更には動作性にも優れている。
【図面の簡単な説明】
【図１】本発明になる第１実施形態の鋏全体の平面図
【図２】本発明になる第１実施形態の鋏の要部（櫛刃の一部）の拡大平面図
【図３】本発明になる第１実施形態の鋏の要部（櫛刃の一部）の拡大底面図
【図４】図２中Ｉ−Ｉ線断面図
【図５】本発明になる第２実施形態の鋏の要部（櫛刃の一部）の拡大平面図
【図６】本発明になる第３実施形態の鋏の要部（櫛刃の一部）の拡大平面図
【図７】本発明になる第４実施形態の鋏の要部（櫛刃の一部）の拡大平面図
【図８】本発明になる第５実施形態の鋏の要部（櫛刃の一部）の拡大平面図
【図９】本発明になる第６実施形態の鋏の要部（櫛刃の一部）の拡大平面図
【図１０】本発明になる第７実施形態の鋏の要部（櫛刃の一部）の拡大平面図
【図１１】本発明になる第８実施形態の鋏の要部（櫛刃の一部）の拡大平面図
【図１２】従来の鋏の平面図
【図１３】従来の鋏の平面図
【符号の説明】
Ａ　　　　　棒刃
Ｂ　　　　　櫛刃
１　　　　　櫛部
１ａ，１ｂ　側部分
１ｃ　　　　中央部分
２　　　　　スリット
【図１】
2004041268.tif 000003
【図２】
2004041268.tif 000004
【図３】
2004041268.tif 000005
【図４】
2004041268.tif 000006
【図５】
2004041268.tif 000007
【図６】
2004041268.tif 000008
【図７】
2004041268.tif 000009
【図８】
2004041268.tif 000010
【図９】
2004041268.tif 000011
【図１０】
2004041268.tif 000012
【図１１】
2004041268.tif 000013
【図１２】
2004041268.tif 000014
【図１３】
2004041268.tif 000015